(57)【要約】【課題】入力される画像の解析をせずに、画像に対する画像処理に用いる画像処理方法を自動で決定して画像処理を実行する仕組みを提供する。【解決手段】クラウドサービスサーバ１３１が備える画像処理アプリケーション７００が、画像形成装置１０１から送信された画像データを受信する。画像処理アプリケーション７００が、画像データの送受信に関する送受信情報に基づいて、画像データに対する画像処理方法を決定する。そして、画像処理部７０２が、決定された画像処理方法を用いて画像データに対する画像処理を実行する。【選択図】図１
2015142333.tif 000002
【特許請求の範囲】
【請求項１】
送信された画像データを受信する受信手段と、
前記画像データの送受信に関する送受信情報に基づいて、前記画像データに対する画像処理方法を決定する決定手段と、
前記決定された画像処理方法を用いて前記画像データに対する画像処理を実行する実行手段とを備える
ことを特徴とする画像処理システム。
【請求項２】
前記画像処理方法と当該画像処理方法を用いた画像処理の実行条件とが紐付けて記憶された第１の記憶手段を備え、
前記受信手段は、前記画像データとともに、当該画像データの送信元から前記送受信情報を取得し、
前記決定手段は、前記第１の記憶手段において前記送受信情報が合致する前記実行条件に紐付けて記憶されている画像処理方法を前記画像データに対して画像処理する際に用いる画像処理方法として決定する
ことを特徴とする請求項１に記載の画像処理システム。
【請求項３】
前記第１の記憶手段に記憶されている画像処理の実行条件が、少なくとも、前記画像データの送信元に関する送信元情報、前記画像データが生成された際に用いられた方法の種別に関する種別情報、前記画像データの受信時間のうちのいずれかを含む
ことを特徴とする請求項２に記載の画像処理システム。
【請求項４】
前記送受信情報が、少なくとも、前記画像データの送信元に関する送信元情報、前記画像データが生成された際に用いられた方法の種別に関する種別情報、前記画像データの受信時間のうちのいずれかを含む
ことを特徴とする請求項３に記載の画像処理システム。
【請求項５】
前記種別情報は、少なくとも、ＦＡＸ処理、スキャナ処理、撮影処理のうちのいずれかを含む
ことを特徴とする請求項３または請求項４に記載の画像処理システム。
【請求項６】
前記決定手段は、前記送受信情報に含まれる送信元情報、種別情報、受信時間が、それぞれ、前記画像処理の実行条件に含まれる送信元情報、種別情報、受信時間に合致する場合に、前記送受信情報と前記画像処理の実行条件とが合致すると判断する
ことを特徴とする請求項４または請求項５に記載の画像処理システム。
【請求項７】
前記実行手段は、
前記画像処理方法を用いて画像処理された画像データに対する画像処理の再実行の指示を受け付けた場合に、前記画像処理方法に関連する関連画像処理方法を取得し、
前記取得した関連画像処理方法を用いて前記画像データに対する画像処理を再実行する
ことを特徴とする請求項１乃至６のいずれか１項に記載の画像処理システム。
【請求項８】
前記画像処理方法と前記関連画像処理方法とが紐付けて記憶された第２の記憶手段を備え、
前記実行手段は、
前記第２の記憶手段において前記画像データに対して画像処理された際に用いられた画像処理方法に紐付けて記憶されている関連画像処理方法を、前記画像データに対して画像処理を再実行する際に用いる関連画像処理方法として決定する
ことを特徴とする請求項７に記載の画像処理システム。
【請求項９】
情報処理装置から送信された画像データをネットワークを介して受信する受信手段と、
前記画像データの送受信に関する送受信情報に基づいて、前記画像データに対する画像処理方法を決定する決定手段と、
前記決定された画像処理方法を用いて前記画像データに対する画像処理を実行する実行手段とを備える
ことを特徴とするサーバ装置。
【請求項１０】
送信された画像データを受信する工程と、
前記画像データの送受信に関する送受信情報に基づいて、前記画像データに対する画像処理方法を決定する工程と、
前記決定された画像処理方法を用いて前記画像データに対する画像処理を実行する工程とを有する
ことを特徴とする制御方法。
【請求項１１】
請求項１０に記載の制御方法をコンピュータに実行させることを特徴とするコンピュータプログラム。
【発明の詳細な説明】
【技術分野】
【０００１】
本発明は、画像処理システム、サーバ装置、制御方法及びコンピュータプログラムに関する。
【背景技術】
【０００２】
ＦＡＸ、スキャナ、カメラ付きモバイル等の画像入力端末から画像を受信し、クラウドサービスサーバ等の画像編集サービスに登録した後、画像処理方法を選択し、画像処理後の画像データを、クラウドストアサービスに保存するシステムが提案されている。特許文献１は、入力画像の特性、出力装置の特性によって、画像の編集処理方法を変更する画像編集処理装置を開示している。
【先行技術文献】
【特許文献】
【０００３】
【特許文献１】特開平５−２０７２６６号公報
【発明の概要】
【発明が解決しようとする課題】
【０００４】
従来の画像処理装置では、ユーザであるオペレータが手動で画像処理方法を選択していた。しかし、多数の画像処理方法がある場合、オペレータが手動で画像処理方法を選択するのでは、手間がかかる。また、この画像処理装置では、オペレータが手動で画像処理方法を選択するので、ＦＡＸなど、不在の夜間に画像データが送られてきた場合には、翌日以降に画像処理を行うこととなり、処理が遅延する。
【０００５】
また、オペレータが画像処理結果を確認した結果、その画像処理結果に満足できなかった場合、改めて別の画像処理を行う必要があるが、オペレータはどの画像処理方法を選択すればよいかがわからない。例えば、画像処理装置がＯＣＲ処理を行った後、オペレータがＯＣＲ処理の結果に満足しない場合、オペレータはＯＣＲ処理の精度を上げるための画像処理方法を選択しなければならないが、どの画像処理方法を選択すればよいかが分からない。
【０００６】
また、特許文献１が開示する画像編集処理装置は、入力画像の解析を行う必要があるので、多数の画像データの解析を行う場合、処理が遅延する。さらに、入力画像の解析手段が複数の画像フォーマットに対応していない場合、入力画像の特性を取得できないので、画像処理方法を自動で変更することができない。
【０００７】
本発明は、入力される画像の解析をせずに、画像に対する画像処理に用いる画像処理方法を自動で決定して画像処理を実行する仕組みの提供を目的とする。
【課題を解決するための手段】
【０００８】
本発明の一実施形態の画像処理システムは、送信された画像データを受信する受信手段と、前記画像データの送受信に関する送受信情報に基づいて、前記画像データに対する画像処理方法を決定する決定手段と、前記決定された画像処理方法を用いて前記画像データに対する画像処理を実行する実行手段とを備える。
【発明の効果】
【０００９】
本実施形態の画像処理システムによれば、入力される画像の解析をせずに、画像に対する画像処理に用いる画像処理方法を自動で決定して画像処理を実行することが可能となる。
【図面の簡単な説明】
【００１０】
【図１】本実施形態の画像処理システムの構成例を示す図である。
【図２】画像形成装置のハードウェア構成の一例を示す図である。
【図３】クラウドサービスサーバのハードウェア構成の一例である。
【図４】画像形成装置の機能ブロック図の一例である。
【図５】クラウドサービスサーバの機能ブロック図の一例である。
【図６】画像処理方法情報テーブルの一例を示す図である。
【図７】関連画像処理方法情報テーブルの一例を示す図である。
【図８】画像処理方法情報テーブルへの情報の設定例について説明する図である。
【図９】クラウドストレージサーバの機能ブロック図の一例である。
【図１０】本実施形態の画像処理システムの動作処理の例を説明する図である。
【発明を実施するための形態】
【００１１】
図１は、本実施形態の画像処理システムの構成例を示す図である。
本実施形態の画像処理システムは、クラウドサービスサーバ１３１、クラウドストレージサービスサーバ１３２、画像形成装置１０１、ＰＣ（Personal Computer）１０２、モバイル端末１０３を備える。
【００１２】
画像形成装置１０１、ＰＣ１０２、モバイル端末１０３は、ＬＡＮ（Lical Area Network）１１０に接続されている。また、クラウドサービスサーバ１３１、クラウドストレージサーバ１３２は、ＬＡＮ１３０に接続されている。ＬＡＮ１１０、１３０は、例えば、イーサネット（登録商標）や無線ＬＡＮである。また、ＦＡＸ端末１０４は、公衆回線１４０に接続されている。ＬＡＮ１１０、ＬＡＮ１３０はインターネット網１２０に接続されている。これにより、ＬＡＮ１１０、ＬＡＮ１３０それぞれに接続されている装置が相互に通信可能である。
【００１３】
図１では、クラウドサービスサーバ１３１とクラウドストレージサーバ１３２とは同じＬＡＮ１３０上に接続されているが、異なるＬＡＮ上に接続されていても構わない。また、この例では、モバイル端末１０３は、カメラ付モバイル端末１０３であって、撮影処理により画像データを生成することができるものとする。
【００１４】
画像形成装置１０１は、操作部、スキャナ部、プリンタ部、ＦＡＸ部を有する複合機である。本実施例のシステムではＦＡＸ文書の受信として利用する。ＦＡＸ端末１０４は、公衆回線１４０を通してＦＡＸ文書を送信する。送信されたＦＡＸ文書は、画像形成装置１０１が備えるＦＡＸ処理部によって受信される。
【００１５】
クラウドサービスサーバ１３１は、ＦＡＸ文書の画像データや、モバイル端末から撮影した画像、スキャンされた紙文書などの画像データを受け取る。クラウドサービスサーバ１３１は、受け取った画像データに対して、ユーザであるオペレータが指定した画像処理を行い、画像処理結果の画像データをクラウドストレージサーバ１３２に送信するサービスを提供するサーバ装置である。クラウドストレージサーバ１３２は、画像データを保管するサーバ装置である。
【００１６】
ＰＣ１０２は、クラウドストレージサーバ１３２へ接続し、ＦＡＸ画像データの確認を行うとともに、画像に対する処理内容やクラウドストレージサーバ１３２への送信先を指示する情報処理装置である。この例では、ＰＣ１０２は、クラウドサービスサーバ１３１と通信して、画像に対する処理内容やクラウドストレージサーバ１３２への送信先を指示するクライアントアプリケーションを実行する。また、この例では、クライアントアプリケーションは、Ｗｅｂブラウザである。
【００１７】
図２は、画像形成装置のハードウェア構成の一例を示す図である。
画像形成措置１０１は、制御部２１０、操作部２２０、プリンタ部２２１、スキャナ部２２２、モデム部２２３を備える。
【００１８】
制御部２１０は、画像形成装置１０１全体の動作を制御する。制御部２１０は、ＣＰＵ２１１乃至ネットワークＩ／Ｆ２１９を備える。ＣＰＵは、Ｃｅｎｔｒａｌ  Ｐｒｏｃｅｓｓｉｎｇ  Ｕｎｉｔの略称である。ＣＰＵ２１１は、ＲＯＭ（Read Only Memory）２１２に記憶された制御プログラムを読み出して、読取制御や送信制御などの各種制御を行う。ＲＡＭ（Random Access Memory）２１３は、ＣＰＵ２１１の主メモリ、ワークエリア等の一時記憶領域として用いられる。
【００１９】
ＨＤＤ（Hard Disk Drive）２１４は、画像データや各種プログラム、あるいは各種情報テーブルを記憶する。操作部Ｉ／Ｆ（Interface）２１５は、操作部２２０と制御部２１０とを接続する。操作部２２０には、タッチパネル機能を有する液晶表示部やキーボードなどを有する。プリンタＩ／Ｆ２１６は、プリンタ部２２１と制御部２１０とを接続する。プリンタ部２２１で印刷すべき画像データは、プリンタＩ／Ｆ２１６を介して制御部２１０から転送され、プリンタ部２２１において記録媒体上に印刷される。
【００２０】
スキャナＩ／Ｆ２１７は、スキャナ部２２２と制御部２１０とを接続する。スキャナ部２２２は、原稿上の画像を読み取って画像データを生成し、スキャナＩ／Ｆ２１７を介して制御部２１０に入力する。モデムＩ／Ｆ２１８は、モデム部２２３と制御部２１０とを接続する。モデム部２２３は、制御部２１０（画像形成装置１０１）を公衆回線１４０に接続する。モデム部２２３は、公衆回線１４０を用いて、ＦＡＸの送受信を外部のＦＡＸ装置に対して行う。
【００２１】
ネットワークＩ／Ｆ２１９は、制御部２１０（画像形成装置１０１）をＬＡＮ１１０に接続する。ネットワークＩ／Ｆ２１９は、ＬＡＮ１１０上の外部装置（例えば、クラウドサービスサーバ１３１）に画像データや情報を送信したり、ＬＡＮ１１０上の外部装置から各種情報を受信したりする。
【００２２】
図３は、クラウドサービスサーバのハードウェア構成の一例を示す図である。
制御部３１０は、クラウドサービスサーバ１３１全体の動作を制御する。制御部３１０は、ＣＰＵ３１１乃至ネットワークＩ／Ｆ３１５を備える。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。ＨＤＤ３１４は、画像データや各種プログラム、または、各種情報テーブルを記憶する。
【００２３】
ネットワークＩ／Ｆ３１５は、制御部３１０（クラウドサービスサーバ１３１）をＬＡＮ１３０に接続する。ネットワークＩ／Ｆ３１５は、ＬＡＮ１３０上の他の装置との間で各種情報を送受信する。
【００２４】
なお、クラウドストレージサーバ１３２、ＰＣ１０２、モバイル端末１０３のハードウェア構成は、図３に示すクラウドサービスサーバ１３１のハードウェア構成と同様である。ＰＣ１０２は、図３の構成に加えて、操作部を有してもよい。ＰＣ１０２が操作部を有する場合、制御部３１０は、操作部Ｉ／Ｆを介して操作部を制御する。
【００２５】
図４は、画像形成装置の機能ブロック図の一例である。図４中に示す処理部は、ＦＡＸ処理に関する画像形成装置１０１の処理部を示す。これらの処理部の機能を実現するプログラムは、画像形成装置１０１のＨＤＤ２１４に格納され、ＣＰＵ２１１によって実行される。
【００２６】
画像形成装置１０１が備えるアプリケーション５００は、クラウドサービスサーバ１３１にＦＡＸ文書を送信するソフトウェアモジュールである。アプリケーション５００は、ＦＡＸ処理部５０１、ジョブ処理部５０２、ＦＡＸデータ管理部５０３、通信部５０４、チケット生成部５０５を備える。
【００２７】
ＦＡＸ処理部５０１は、モデム部２２３（図２）から、ＦＡＸ画像データと、送信元番号を含むＦＡＸ属性情報を受け取り、受け取ったＦＡＸ画像データとＦＡＸ属性情報とをＨＤＤ２１４に保存する。
【００２８】
ジョブ処理部５０２は、ＨＤＤ２１４に保存されている画像データをＴＩＦＦ等の画像フォーマットに変換を行う。ＦＡＸデータ管理部５０３は、ジョブ処理部５０２によって変換されたＦＡＸ画像データとＦＡＸ属性情報とをＨＤＤ２１４に保存して管理する。通信部５０４は、ＨＤＤ２１４に保存されたＦＡＸ画像データを、ネットワークＩ／Ｆ２１９を介してクラウドサービスサーバ１３１に登録する。チケット生成部５０５は、クラウドサービスサーバ１３１に送信するチケットを生成する。チケットは、後述するように、送信元情報、入力種別、受信時間等を含む。
【００２９】
図５は、クラウドサービスサーバの機能ブロック図の一例である。図５中に示す処理部の機能を実現するプログラムは、クラウドサービスサーバ１３１のＨＤＤ３１４に格納され、ＣＰＵ３１１によって実行される。
【００３０】
クラウドサービスサーバ１３１は、画像処理アプリケーション７００、画像データ管理部７０１、画像処理部７０２、入力データ判定部７０３、画像処理方法情報テーブル７０４、関連画像処理方法情報テーブル７０５を備える。画像処理アプリケーション７００は、クラウドサービスサーバ１３１上でＷｅｂサービスを公開し、インターネット網１２０を介して画像データを受信するＷｅｂアプリケーションである。画像処理アプリケーション７００は、画像処理部７０２に指示して、上記受信した画像データに対する画像処理を行う。
【００３１】
画像データ管理部７０１は、クラウドサービスサーバ１３１内でＦＡＸ画像に対する処理を行う際のオリジナル画像および、プレビュー画像および、画像処理結果を管理するソフトウェアモジュールである。画像処理部７０２は、画像処理アプリケーション７００が受け取った画像に対して画像処理を実行するソフトウェアモジュールである。
【００３２】
入力データ判定部７０３は、画像処理アプリケーション７００が受け取った画像に対して、その画像がどのようなデバイスから入力された画像なのかを、チケットから判定するソフトウェアモジュールである。入力データ判定部７０３によって、ＦＡＸ文書受信の結果、形成された画像なのか、画像形成装置１０１のようなスキャナから読み取った結果、形成された画像なのか、モバイル端末などで撮影された結果、形成された画像なのかを判定する。
【００３３】
画像処理方法情報テーブル７０４は、第１の記憶手段として機能する。すなわち、画像処理方法情報テーブル７０１には、画像処理方法と当該画像処理方法を用いた画像データに対する画像処理の実行条件とが紐付けて記憶される。関連画像処理方法情報テーブル７０５は、第２の記憶手段として機能する。すなわち、関連画像処理方法情報テーブル７０５には、画像処理方法と関連画像処理方法とが紐付けて記憶される。関連画像処理方法は、画像処理方法に関連する画像処理方法である。
【００３４】
図６は、画像処理方法情報テーブルの一例を示す図である。
図６（Ａ）に示す画像処理方法情報テーブル７０４は、送信元１０００、入力種別１００１、受信時間１００２、画像処理方法１００３といったデータ項目を有する。送信元１０００、入力種別１００１、受信時間１００２が、画像処理の実行条件である。後述する送受信情報が画像処理の実行条件に合致する（満たす）場合に、画像処理アプリケーション７００が、当該実行条件に紐付く画像処理方法を用いて画像処理を実行する。
【００３５】
送信元１０００は、画像データの送信元に関する情報（送信元情報）を示す。画像データがＦＡＸ画像データである場合、送信元１０００は、例えば、図１に示すＦＡＸ端末１０４またはＦＡＸ端末１０４を用いてＦＡＸ送信したユーザを示す。画像データがスキャン処理によってスキャンされた画像データである場合、送信元１０００は、例えば、図１に示す画像形成装置１０１を示す。
【００３６】
入力種別１００１は、ＦＡＸ、スキャナ、カメラによる画像読み取りなど、どのような方法で画像データが生成されたかを示す種別情報である。入力種別１００１に設定された「ＦＡＸ」は、画像データがファクス処理によって生成されたことを示す。入力種別１００１に設定された「スキャナ」は、画像データがスキャナ処理によって生成されたことを示す。入力種別１００１に設定された「モバイル」は、この例では、画像データが、カメラ付モバイル端末による撮影によって生成されたことを示す。
【００３７】
受信時間１００２は、画像データが当該受信時間が示す時間内に受信された場合に、当該受信時間に紐付く画像処理方法１００３を用いて画像処理を行うことを示す。なお、画像処理の実行条件は、図６（Ａ）に示すものに限定されない。
【００３８】
図７は、関連画像処理方法情報テーブルの一例を示す図である。
図７に示す関連画像処理方法情報テーブル７０５には、画像処理方法、関連画像処理方法といったデータ項目を有する。関連画像処理方法は、この例では、画像処理方法に加えて用いることで、よりユーザが所望する画像になり得る画像処理方法である。
【００３９】
図７に示す例では、画像処理方法が、ＯＣＲ処理結果をＰＤＦに埋め込むサーチャブルＰＤＦである場合、対応する関連画像処理方法は、ＯＣＲ結果の精度を上げるためのノイズ除去、超解像度、文字強調である。
【００４０】
図８は、画像処理方法情報テーブルへの情報の設定例について説明する図である。
ユーザによる操作にしたがって、ＰＣ端末１０２のＷｅｂブラウザ８０１が、クラウドサービスサーバ１３１にアクセスする。クラウドサービスサーバ１３１が、ＰＣ端末１０２に対して、画像処理方法情報テーブル７０４に設定されている情報を含む画面データを送信する。ＰＣ端末１０２のＷｅｂブラウザ８０１は、クラウドサービスサーバ１３１から受信した画面データに基づいて、図８（Ａ）に示すテーブル管理画面８００を表示する。
【００４１】
図８（Ａ）中、リスト８０２は、既に登録されている画像処理方法情報テーブルの内容を示す。この例では、送信元、入力種別、受信日時、画像処理方法が表示されている。入力フィールド８０３は、新規に画像処理方法を登録するためのフィールドである。なお、画像処理方法の列は、コンボボックス等になっており、ユーザは、そのリストから画像処理方法を複数選択し、登録することが可能である。
【００４２】
ボタン８０４は、入力フィールド８０３に追加した情報をＨＤＤ３１４に保存するためのボタンである。ユーザが、入力フィールド８０３に画像処理方法を入力し、新規追加ボタン８０４を押下することで、テーブル管理画面８００が図８（Ｂ）に示すテーブル管理画面に画面遷移する。これにより、リスト９０１のように情報が反映される。ユーザがボタン８０５を押下することで、リスト情報の編集が可能である。なお、関連画像処理方法情報テーブル７０５も、図８を参照して説明した画像処理方法情報テーブル７０４の編集と同様の方法で追加編集が可能である。
【００４３】
図９は、クラウドストレージサーバの機能ブロック図の一例である。図９中に示す処理部の機能を実現するプログラムは、クラウドストレージサービスサーバ１３２のＨＤＤ３１４に格納され、ＣＰＵ３１１によって実行される。
【００４４】
クラウドストレージサーバは、ストレージサービスアプリケーション８００、ファイル管理部８０１を備える。クラウドストレージアプリケーション８００は、クラウドストレージサーバ１３２上でＷｅｂサービスを公開し、インターネット網１２０を介して送られた画像データおよび文書データであるファイルを管理するＷｅｂアプリケーションである。
【００４５】
ファイル管理部８０１は、クラウドストレージアプリケーション８００からの指示にしたがってファイルを受け取り、受け取ったファイルを、ファイルシステムやＤＢ等のミドルウェア経由でＨＤＤ３１４に保管、管理する。
【００４６】
図１０は、本実施形態の画像処理システムの動作処理の例を説明する図である。
図１０では、画像形成装置１０１が、ＦＡＸ受信した画像をクラウドサービスサーバ１３１に送信し、クラウドサービスサーバ１３１が画像処理部７０２で画像処理を行う例について説明する。なお、下記ではＦＡＸ受信を例にとって説明を行うが、入力種別がスキャナやモバイルであっても同様の処理を行うことができる。
【００４７】
ＦＡＸ端末１０４が、Ｓ００１、Ｓ００２の処理にて、画像形成装置１０１へ公衆回線１４０を通してＦＡＸ文書の送信を行う。続いて、画像形成装置１０１が、Ｓ００３の処理にて、公衆回線１４０を通してＦＡＸ文書を受信し、ＦＡＸ処理部５０１、ジョブ処理部５０２およびＦＡＸデータ管理部５０１により、ＦＡＸ画像として画像データとＦＡＸ属性情報を保存して管理する。
【００４８】
Ｓ００４の処理において、チケット生成部５０５が、クラウドサービスサーバ１３１へ送信するためのチケットを生成する。なお、この時点では、チケット情報は画像形成装置１０１内に予め用意されているものでもよい。送信元や、入力種別、受信時間は、この後の処理でチケットに挿入される。
【００４９】
Ｓ００５の処理において、チケット生成部５０５が、入力種別がＦＡＸであるかを判断する。ＦＡＸ画像とＦＡＸ属性情報がある場合、チケット生成部５０５は、入力種別がＦＡＸであると判断する。ＦＡＸ受信時に、ＦＡＸデータ管理部５０３にて、ＦＡＸ画像として管理されているので、チケット生成部５０５は、ＦＡＸデータ管理部５０３へ問い合わせ、問い合わせ結果に基づき、入力種別がＦＡＸであるかを特定する。入力種別がＦＡＸでない場合は、Ｓ００８の処理に進む。入力種別がＦＡＸである場合は、Ｓ００６の処理に進む。
【００５０】
チケット生成部５０５が、画像形成装置１０１が保持するアドレス帳に対し、ＦＡＸ属性情報に含まれる送信元番号で検索を行い、送信元を特定する。Ｓ００６の処理において、チケット生成部５０５が、送信元を特定できたかを判断する。送信元を特定できない場合は、Ｓ００８の処理に進む。送信元を特定できた場合は、Ｓ００７の処理に進む。
【００５１】
Ｓ００７の処理において、チケット生成部５０５が、Ｓ００６で特定できた送信元を、Ｓ００４で作成したチケットに埋め込む。例えば、送信元である「Ａ法律事務所」という文字列をチケットに埋め込む。
【００５２】
Ｓ００８の処理において、チケット生成部５０５が、Ｓ００５で特定できた入力種別を、Ｓ００４で作成したチケットに埋め込む。例えば、「ＦＡＸ」という文字列をチケットに埋め込む。
【００５３】
次に、Ｓ００９の処理において、チケット生成部５０５が、受信時間をＳ００４で作成したチケットに埋め込む。例えば、Ｓ００３で画像形成装置１０１がＦＡＸ文書を受信した時刻が２：００であった場合、チケット生成部５０５は、「２：００」という文字列をチケットに埋め込む。Ｓ００７乃至Ｓ００９の処理によってチケットに埋め込まれた情報が、画像データの送受信に関する送受信情報である。送受信情報は、この例では、送信元、入力種別および受信時間である。
【００５４】
Ｓ０１０の処理において、通信部５０４が、ＦＡＸ文書とチケットとをクラウドサービスサーバ１３１へ送信する。Ｓ０１１の処理において、クラウドサービスサーバ１３１の画像処理アプリケーション７００が、画像形成装置１０１からＦＡＸ文書とチケットとを受信する。続いて、Ｓ０１２の処理において、チケットに埋め込まれた送受信情報から入力種別を取得する。この例では、画像処理アプリケーション７００は、入力種別としてＦＡＸを取得する。
【００５５】
Ｓ０１３の処理において、画像処理アプリケーション７００が、入力種別がＦＡＸであるかを判断する。入力種別がＦＡＸでない場合は、Ｓ０３０の処理に進む。そして、、ユーザの操作（オペレーション）にしたがって、クラウドサービスサーバ１３１が、画像処理一覧を、例えばＰＣ端末１０２に画面表示する。画像処理一覧には、実行するジョブの一覧が表示される。Ｓ０３０の処理において、クラウドサービスサーバ１３１が、ユーザの操作にしたがって、ジョブを選択する。
【００５６】
クラウドサービスサーバ１３１が、ＰＣ端末１０２に画像処理操作画面を表示する。画像処理操作画面上には、画像処理方法を示すアイコンが表示される。続いて、Ｓ０３１の処理において、ユーザが、画像処理方法を示すアイコンを選択すると、ＰＣ端末１０２が、クラウドサービスサーバ１３１に対して、選択されたアイコンに対応する画像処理方法を送信し、Ｓ０１７の処理に進む。
【００５７】
入力種別がＦＡＸである場合は、処理がステップＳ０１４に進む。Ｓ０１４の処理において、画像処理アプリケーション７００が、チケットから、画像データの送信元を取得する。この例では、画像処理アプリケーション７００は、送信元としてＡ法律事務所を取得する。
【００５８】
次に、Ｓ０１５の処理において、画像処理アプリケーション７００が、チケットから画像データの受信時間を取得する。この例では、画像処理アプリケーション７００は、受信時間として２：００を取得する。
【００５９】
次に、Ｓ０１６の処理において、画像処理アプリケーション７００が、画像処理方法情報テーブル７０４に、送受信情報に該当するレコード（一行分のデータ）があるか検索する。送受信情報は、Ｓ０１２で取得した入力種別、Ｓ０１４で取得した送信元、Ｓ０１５で取得した受信時間である。すなわち、画像処理アプリケーション７００は、取得した送受信情報が、画像処理方法情報テーブル７０４に記憶されている画像処理の実行条件と合致するかを判断する。取得した入力種別が入力種別１００１と合致し、送信元が送信元１０００と合致し、受信時間が受信時間１００２が示す時間内である場合に、画像処理アプリケーション７００は、送受信情報が画像処理の実行条件と合致すると判断する。そして、画像処理アプリケーション７００は、当該実行条件に対応するレコードを検索結果として決定し、Ｓ０１７の処理に進む。
【００６０】
送受信情報が、画像処理方法情報テーブル７０４に記憶されている画像処理の実行条件と合致しない場合、画像処理アプリケーション７００は、画像処理方法情報テーブル７０４に送受信情報に該当するレコードがないと判断し、Ｓ０３０の処理に進む。
【００６１】
Ｓ０１７の処理において、画像処理アプリケーション７００が、Ｓ０１６での検索結果に含まれる画像処理方法を取得する。この例では、送信元はＡ法律事務所、入力種別はＦＡＸ、受信時間は２：００であるので、画像処理方法情報テーブル７０４の検索結果は、図６（Ａ）中の一行目のレコードである。したがって、画像処理アプリケーション７００は、ＯＣＲ処理結果をＰＤＦに埋め込むサーチャブルＰＤＦを画像処理方法として取得する。
【００６２】
Ｓ０１８の処理において、取得した画像処理方法を用いて、画像処理部７０２が画像処理を実行する。画像処理部７０２は、ＰＣ端末１０２からの画像処理結果の閲覧要求に応じて、画像処理結果をＰＣ端末１０２に送信する。そして、Ｓ０３３の処理に進む。Ｓ０３３の処理において、ＰＣ端末１０２が、画像処理結果を画面表示し、ユーザが、画像処理結果を確認する。
【００６３】
Ｓ０３４の処理において、ＰＣ端末１０２が、ユーザの操作にしたがって、画像データに対して再処理を行うかを判断する。画像データに対して再処理を行わない場合は、Ｓ０２２に進んで、処理を終了する。画像データに対して再処理を行う場合は、ＰＣ１０２が、クラウドサービスサーバ１３１に対して、画像データに対する再処理を求める再処理要求を送信する。そして、Ｓ０１９の処理に進む。
【００６４】
Ｓ０１９の処理において、画像処理アプリケーション７００が、ＰＣ端末１０２から再処理要求を受信する。画像処理アプリケーション７００が、再処理すべき画像データの画像処理（Ｓ０１８）に用いられた画像処理方法を特定する。
【００６５】
特定される画像処理方法は、上記Ｓ０１７の処理で取得された画像処理方法である。そして、画像処理アプリケーション７００が、関連画像処理方法情報テーブル７０５に、上記特定された画像処理方法に紐付く関連画像処理方法があるか検索する。特定された画像処理方法に紐付く関連画像処理方法がない場合は、Ｓ０３２の処理に戻る。特定された画像処理方法に紐付く関連画像処理方法がある場合は、Ｓ０２０の処理に進む。この例では、特定される画像処理方法は、サーチャブルＰＤＦである。したがって、図７に示す関連画像処理方法情報テーブル７０５から、関連画像処理方法として、ノイズ除去、超解像度、文字強調が取得される。
【００６６】
Ｓ０２０の処理において、画像処理アプリケーション７００が、画像処理方法情報テーブルを更新する。具体的には、画像処理アプリケーション７００は、Ｓ０１９で特定した画像処理方法の項目に、Ｓ０１９で取得された関連画像処理方法を追加する。その結果、図６（Ａ）に示す画像処理方法情報テーブルが、図６（Ｂ）に示す画像処理方法情報テーブルに更新される。図６（Ｂ）に示す例では、一行目のレコードにおける画像処理方法に、ノイズ除去、超解像度、文字強調が追加されている。
【００６７】
Ｓ０２１の処理において、画像処理部７０２が、画像データに対して画像処理を再実行する。その際、画像処理部７０２は、Ｓ０２０で更新した画像処理方法情報テーブルの画像処理方法を用いて、画像処理を実行する。これにより、例えば、サー茶ブルＰＤＦ、ノイズ除去、超解像度、文字強調が実行される。
【００６８】
なお、上記Ｓ０３３の処理を実行しないようにしてもよい。すなわち、ユーザに画像処理結果を確認させずに、画像処理結果のデータサイズが閾値以内である場合に、Ｓ０１８からＳ０１９へ進むようにしてもよい。なお、閾値の情報は、画像処理方法情報テーブルに記載しておく。
【００６９】
本実施形態の画像処理システムによれば、ユーザであるオペレータの処理を介さず、また入力画像の解析を行うことなく、送受信情報に対応する画像処理方法を自動で特定して画像処理を実行することができる。
【００７０】
（その他の実施例）
また、本発明は、以下の処理を実行することによっても実現される。上述した実施形態の機能を実現するソフトウェア（コンピュータプログラム）を、ネットワーク又は各種記憶媒体を介してシステム或いは装置に供給し、システム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００７１】
１０１  画像形成装置
１０２  ＰＣ端末
１０３  モバイル端末
【図１】
2015142333.tif 000003
【図２】
2015142333.tif 000004
【図３】
2015142333.tif 000005
【図４】
2015142333.tif 000006
【図５】
2015142333.tif 000007
【図６】
2015142333.tif 000008
【図７】
2015142333.tif 000009
【図８】
2015142333.tif 000010
【図９】
2015142333.tif 000011
【図１０】
2015142333.tif 000012